(57)【要約】【課題】窓の中央に視界を遮る召合框を無くしても、水密気密性を容易に確保できると共に、障子閉鎖時等の縦枠衝突等に対してパネル脱落を防止したサッシの提供を目的とする。【解決手段】内障子及び外障子は、三方框組部材と、透光性パネルとを有し、透光性パネルは召合せ部を除く三方を三方框組部材のパネル嵌合溝に嵌合してあり、手掛部材は、内障子及び外障子の召合せ部反対側であってそれぞれ上框召合せ側端部と下框召合せ側端部との間に設けてあり、水密気密補助部材は内障子と外障子の召合せ側であって、それぞれ上框召合せ側端部と下框召合せ側端部との間に設けてあり、内障子または外障子の水密気密補助部材の少なくともいずれか一方に相手側の水密気密補助部材に先端部が当接する透光性の水密気密部材を設けてある。【選択図】  図１
2006266041.tif 000002
【特許請求の範囲】
【請求項１】
内障子と外障子とを備え、
内障子及び外障子は、上框と、下框と、上框と下框の戸当り側を連結する戸当り框とからなる三方框組部材と、透光性パネルとを有し、
内障子及び外障子の透光性パネルは、召合せ部を除く三方を三方框組部材のパネル嵌合溝に嵌合してあり、
内障子の透光性パネルは、召合せ部の室内側面に透光性材料からなる手掛部材が設けてあるとともに、召合せ部の室外側面に透光性材料からなる水密気密補助部材が設けてあり、
外障子の透光性パネルは、召合せ部の室外側面に透光性材料からなる手掛部材が設けてあるとともに、召合せ部の室内側面に透光性材料からなる水密気密補助部材が設けてあり、
内障子または外障子の水密気密補助部材の少なくともいずれか一方に相手側の水密気密補助部材に先端部が当接する透光性材料からなる水密気密部材が設けてあることを特徴とする引き違いサッシ。
【請求項２】
内障子及び外障子は、手掛部材の上端面及び水密気密補助部材の上端面と、上框の召合せ側端部下面とがそれぞれ接着してあり、手掛部材の下端面及び水密気密補助部材の下端面と、下框の召合せ側端部上面とがそれぞれ接着してあることを特徴とする請求項１記載の引き違いサッシ。
【請求項３】
内障子及び外障子は、上框の召合せ側端面に上部補強部材が設けてあり、下框の召合せ側端面に下部補強部材が設けてあり、
上部補強部材は、カバー部と当接部とを有し、カバー部は上框の召合せ側端面をカバーするものであり、当接部は、カバー部の下方に位置し且つ水密気密補助部材、透光性パネル及び手掛部材に跨って当接し、
下部補強部材は、カバー部と当接部とを有し、カバー部は下框の召合せ側端面をカバーするものであり、
当接部は、カバー部の上方に位置し且つ水密気密補助部材、透光性パネル及び手掛部材に跨って当接していることを特徴とする請求項１または２記載の引き違いサッシ。
【請求項４】
可動障子と嵌殺し部とを備え、
可動障子は、上框と、下框と、上框と下框とを戸当り側で連結している戸当り框とからなる三方框組部材と、透光性パネルとを有し、
可動障子の透光性パネルは、召合せ部を除く三方を三方框組部材のパネル嵌合溝に嵌合してあり且つ召合せ部の嵌殺し部と反対側の見付け面に透光性材料からなる手掛部材が設けてあるとともに、召合せ部の嵌殺し部側の見付け面に透光性材料からなる水密気密補助部材が設けてあり、
嵌殺し部は、上枠と、下枠と、縦枠とからなる三方枠組部材と、透光性パネルとを有し、
嵌殺し部の透光性パネルは、召合せ部を除く三方を三方枠組部材のパネル嵌合溝に嵌合してあり且つ召合せ部の可動障子と反対側の見付け面に透光性材料からなる補強部材が設けてあるとともに、召合せ部の可動障子側の見付け面に透光性材料からなる水密気密補助部材が設けてあり、
可動障子または嵌殺し部の水密気密補助部材の少なくともいずれか一方に相手側の水密気密補助部材に先端部が当接する透光性材料からなる水密気密部材が設けてあることを特徴とする片引きサッシ。
【請求項５】
可動障子は、上框の召合せ側端面に上部補強部材が設けてあり、下框の召合せ側端面に下部補強部材が設けてあり、
上部補強部材は、カバー部と当接部とを有し、カバー部は上框の召合せ側端面をカバーするものであり、当接部は、カバー部の下方に位置し且つ水密気密補助部材、透光性パネル及び手掛部材に跨って当接し、
下部補強部材は、カバー部と当接部とを有し、カバー部は下框の召合せ側端面をカバーするものであり、
当接部は、カバー部の上方に位置し且つ水密気密補助部材、透光性パネル及び手掛部材に跨って当接していることを特徴とする請求項４記載の片引きサッシ。
【発明の詳細な説明】
【技術分野】
【０００１】
本発明は、召合せ部に透光性のある部材を用いたサッシに関する。
【背景技術】
【０００２】
従来、アルミサッシにおいて障子は、アルミ形材等で製作した上框と、下框と、戸当り側の戸当り框及び召合せ側の召合框で略方形の枠組を形成し、その枠内にガラス等のパネルを嵌着してある。
このような召合框を有する引き違いサッシや片引きサッシにおいては、召合せ部の召合框が視界を遮り、室内開放感の障害になっていた。
特開平５−３５５０４８号公報には、引き違いサッシにおいて、障子を上框と召合せ框と下框との三方框枠に形成し、残りの一辺部を開放端とし、昼間等水密気密性を必要としないときに召合せ側を外枠側に走行し、パネルの開放端を中央で突き合わせたり、若干重ね合わせることで窓中央部の開放感を得る技術を開示するが、パネルの開放端を窓の中央部に持ってきた場合に水密気密性を確保できない。
【０００３】
【特許文献１】特開平５−３５５０４８号公報
【発明の開示】
【発明が解決しようとする課題】
【０００４】
本発明は上記背景技術に鑑みて、窓の中央に視界を遮る召合框を無くしても、水密気密性を容易に確保できると共に、障子閉鎖時等の縦枠衝突等に対してパネル脱落を防止したサッシの提供を目的とする。
【課題を解決するための手段】
【０００５】
請求項１記載の発明に係るサッシは、引き違いサッシであって、内障子と外障子とを備え、内障子及び外障子は、上框と、下框と、上框と下框の戸当り側を連結する戸当り框とからなる三方框組部材と、透光性パネルとを有し、内障子及び外障子の透光性パネルは、召合せ部を除く三方を三方框組部材のパネル嵌合溝に嵌合してあり、内障子の透光性パネルは、召合せ部の室内側面に透光性材料からなる手掛部材が設けてあるとともに、召合せ部の室外側面に透光性材料からなる水密気密補助部材が設けてあり、外障子の透光性パネルは、召合せ部の室外側面に透光性材料からなる手掛部材が設けてあるとともに、召合せ部の室内側面に透光性材料からなる水密気密補助部材が設けてあり、内障子または外障子の水密気密補助部材の少なくともいずれか一方に相手側の水密気密補助部材に先端部が当接する透光性材料からなる水密気密部材が設けてあることを特徴とする。
ここで、透光性パネルとは、ガラス等の透光性を有する材料で製作したパネルをいい、手掛部材及び水密気密部材は透明樹脂等の透光性材料を用いて製作する。
【０００６】
請求項２記載に係る発明は、内障子及び外障子は、手掛部材の上端面及び水密気密補助部材の上端面と、上框の召合せ側端部下面とがそれぞれ接着してあり、手掛部材の下端面及び水密気密補助部材の下端面と、下框の召合せ側端部上面とがそれぞれ接着してあることを特徴とする。
ここで、手掛部材の上下端面部、水密気密補助部材の上下端面部を上框あるいは下框と接着する方法としては、端面に接着剤を塗布する方法や、接着剤を端面部に充填する方法とが例として挙げられる。
【０００７】
請求項３記載に係る発明は、内障子及び外障子は、上框の召合せ側端面に上部補強部材が設けてあり、下框の召合せ側端面に下部補強部材が設けてあり、上部補強部材は、カバー部と当接部とを有し、カバー部は上框の召合せ側端面をカバーするものであり、当接部は、カバー部の下方に位置し且つ水密気密補助部材、透光性パネル及び手掛部材に跨って当接し、下部補強部材は、カバー部と当接部とを有し、カバー部は下框の召合せ側端面をカバーするものであり、当接部は、カバー部の上方に位置し且つ水密気密補助部材、透光性パネル及び手掛部材に跨って当接していることを特徴とする。
補強部材は、框端面と、透光性パネルの両面に設けた手掛部材と水密気密補助部材とを繋ぐことで補強する。
【０００８】
請求項４記載に係る発明は、片引きサッシであって、可動障子と嵌殺し部とを備え、可動障子は、上框と、下框と、上框と下框とを戸当り側で連結している戸当り框とからなる三方框組部材と、透光性パネルとを有し、可動障子の透光性パネルは、召合せ部を除く三方を三方框組部材のパネル嵌合溝に嵌合してあり且つ召合せ部の嵌殺し部と反対側の見付け面に透光性材料からなる手掛部材が設けてあるとともに、召合せ部の嵌殺し部側の見付け面に透光性材料からなる水密気密補助部材が設けてあり、嵌殺し部は、上枠と、下枠と、縦枠とからなる三方枠組部材と、透光性パネルとを有し、嵌殺し部の透光性パネルは、召合せ部を除く三方を三方枠組部材のパネル嵌合溝に嵌合してあり且つ召合せ部の可動障子と反対側の見付け面に透光性材料からなる補強部材が設けてあるとともに、召合せ部の可動障子側の見付け面に透光性材料からなる水密気密補助部材が設けてあり、可動障子または嵌殺し部の水密気密補助部材の少なくともいずれか一方に相手側の水密気密補助部材に先端部が当接する透光性材料からなる水密気密部材が設けてあることを特徴とする。
可動障子の召合せ部の框をなくすとともに、嵌殺し部の方立て部分を無くしたものである。
また、可動障子の召合せ部と嵌殺し部の間に設ける水密気密部材も透光性材料を用いる。
【０００９】
請求項５記載に係る発明は、可動障子は、上框の召合せ側端面に上部補強部材が設けてあり、下框の召合せ側端面に下部補強部材が設けてあり、
上部補強部材は、カバー部と当接部とを有し、カバー部は上框の召合せ側端面をカバーするものであり、当接部は、カバー部の下方に位置し且つ水密気密補助部材、透光性パネル及び手掛部材に跨って当接し、
下部補強部材は、カバー部と当接部とを有し、カバー部は下框の召合せ側端面をカバーするものであり、
当接部は、カバー部の上方に位置し且つ水密気密補助部材、透光性パネル及び手掛部材に跨って当接していることを特徴とする
上部又は下部補強部材は、可動障子の召合せ部の上下端部と、透光性パネルの両面に設けた手掛部材と水密気密補助部材とを繋ぐことで補強する。
【発明の効果】
【００１０】
請求項１記載の発明においては、透光性パネルの召合せ部を除く三方縁部を三方框組部材のパネル嵌合溝に嵌合し、透光性パネルの召合せ部室内側面であって、上框召合せ側端部と下框召合せ側端部との間に手掛部材を設け、パネルの召合せ部室外側面であって、上框召合せ側端部と下框召合せ側端部との間に水密気密補助部材を設けたので、召合せ部から従来のような金属製の召合框が無くなり、窓の中央部の開放感が向上する。
また、内障子または外障子の水密気密補助部材の少なくともいずれか一方に相手側の水密気密補助部材に先端部が当接する透光性材料からなる水密気密部材を設けたので、召合せ部の透明性を確保しつつ、水密気密性を容易に得ることができる。
【００１１】
請求項２記載の発明においては、内障子及び外障子は、手掛部材び水密気密補助部材の上側端面部と上框とがそれぞれ接着してあり、手掛部材び水密気密補助部材の下側端面部と下框とが、それぞれ接着してあるので、手掛部材び水密気密補助部材の上下を框にて接着保持しするので、障子開閉時等の縦枠との衝突等によってもパネルが三方框組部材から外れにくくなる。
【００１２】
請求項３記載の発明においては、補強部材を用いて、框端面と、透光性パネルの両面に設けた手掛部材と水密気密補助部材とを繋いだので、障子開閉時等の縦枠との衝突等によってもパネルが三方框組部材から外れにくくなる。
【００１３】
請求項４記載の発明においては、片引きサッシであって、透光性パネルの召合せ部を除く三方縁部を三方框組部材のパネル嵌合溝に嵌合し、透光性パネルの召合せ部に透光性を有する手掛部材及び水密気密補助部材を設け、嵌殺し部は、透光性パネルを三方組部材に嵌合し、召合せ部に透光性の有する水密気密補助部材と補強部材とを接合したので片引きサッシにおいても召合せ部を透光性にでき、開放感が向上する。
【００１４】
請求項５記載の発明においては、片引きサッシであって、可動障子は、上框の召合せ側端面に上部補強部材が設けてあり、下框の召合せ側端面に下部補強部材が設けてあり、上部補強部材は、カバー部と当接部とを有し、カバー部は上框の召合せ側端面をカバーするものであり、当接部は、カバー部の下方に位置し且つ水密気密補助部材、透光性パネル及び手掛部材に跨って当接し、下部補強部材は、カバー部と当接部とを有し、カバー部は下框の召合せ側端面をカバーするものであり、当接部は、カバー部の上方に位置し且つ水密気密補助部材、透光性パネル及び手掛部材に跨って当接していることを特徴とする。
補強部材を用いて、框端面と、透光性パネルの両面に設けた手掛部材と水密気密補助部材とを繋いだので、片引きサッシにおいても、障子開閉時等の縦枠との衝突等によってもパネルが三方框組部材から外れにくくなる。
【発明を実施するための最良の形態】
【００１５】
図１に本発明に係る引き違いサッシの例を示す。
また、引き違いサッシの縦断面図を図３に、横断面図を図４に示す。
躯体開口部には、下枠１０、上枠２０、左右の縦枠３０、４０とで略方形の外枠を形成し、その枠内に室内側よりの内障子５０と、室外側よりの外障子６０をスライド走行自在に装着している。
内障子５０は、三方框組部材と、透光性を有するガラス等の透光性パネル５４とを有し、
三方框組部材は、それぞれアルミ形材で製作した、上框５２と、下框５１と、上框と下框とを戸当り側で連結している戸当り框５３とで形成している。
透光性パネル５４は、召合せ部に手掛部材５５と水密気密補助部材５６とを有し召合せ部を除く三方を三方框組部材のパネル嵌合溝に嵌合してある。
手掛部材５５は、透光性のある樹脂製（透光性材料）でパネルの召合せ部室内側面であって、上框５２の召合せ側端部と下框５１の召合せ側端部との間に接着して設けてある。
水密気密補助部材５６は、透光性材料で製作し透光性パネル５４の召合せ部室外側面であって、上框５２の召合せ側端部と下框５１の召合せ側端部との間に接着して設けてある。
外障子も内障子と同様に、三方框組部材と、透光性を有する透光性パネル６４とを有し、
三方框組部材は、上框６２と、下框６１と、上框と下框とを戸当り側で連結している戸当り框６３とで構成している。
透光性パネル６４は、召合せ部に手掛部材６５と水密気密補助部材６６とを有していて召合せ部を除く三方を三方框組部材のパネル嵌合溝に嵌合してある。
手掛部材６５は、透光性パネル６４の召合せ部室外側面であって、上框６２の召合せ側端部と下框６１の召合せ側端部との間に接着して設けてある。
水密気密補助部材６６は、透光性パネル６４の召合せ部室内側面であって、上框６２の召合せ側端部と下框６１の召合せ側端部との間に接着して設けてある。
図４に示すように、内障子の水密気密補助部材５６には、外障子の水密気密補助部材６６に先端部が当接する透光性の水密気密部材５９を接着して設けてある。
水密気密部材５９もシリコン系樹脂等の透光性材料で製作してある。
一方、外障子の水密気密補助部材６６には、内障子の水密気密補助部材５６に先端部が当接する透光性の水密気密部材６９を接着して設けてある。
図１においては、召合せ部の透光性パネル５４、６４、手掛部材５５、６５、水密気密部材５６、６６、水密気密部材５９の位置関係を分かりやすくするために断面図を示し、外枠は一部のみ現してある。
また、図示を省略したが、戸当り框部と縦枠との間には、戸先錠を設けてある。
【００１６】
内障子５０は、手掛部材５５の上側端面部及び水密気密補助部材５６の上側端面部と、上框５２の下側端部との間に接着剤を充填してある。
また、手掛部材５５の下側端面部及び水密気密補助部材５６の下側端面部は、下框５１との間に、それぞれ接着剤を充填してある。
外障子６０も内障子５０と同様に、手掛部材６５の上側端面部及び水密気密補助部材６６の上側端面部と、上框６２の下側端部との間に接着剤を充填してあり、手掛部材６５の下側端面部及び水密気密補助部材６６の下側端面部は、下框６１との間に、それぞれ接着を充填してある。
【００１７】
内障子５０は、召合せ側端部に上部補強部材５８と下部補強部材５７とを有し、その部品図を図２に示し、図２（イ）が上部補強部材で図２（ロ）が下部補強部材である。
上部補強部材５８は、カバー部５８ｂと当接部５８ａとを有し、カバー部５８ｂは上框の召合せ側端面をカバーし、当接部５８ａはカバー部の下方に位置していて水密気密部材、パネル及び手掛部材にわたって当接するように上框の端面ビスホールにビス１５８ｄ等で止めるが、この際に上部振れ止め部材１５８を位置ズレ防止の突部１５８ｃと上部補強部材５８側の嵌合凹部５８ｄとが嵌るようにして重ね合わせて取り付ける。
なお、上部振れ止め部材の溝部１５８ａが図３に示すように上枠２０のレール２１（２２）を両側から挟むようになっている。
下部補強部材５７は、カバー部５７ｂと当接部５７ａとを有し、カバー部は下框の召合せ側端面をカバーし、当接部は、カバー部の上方に位置していて水密気密部材、パネル及び手掛部材にわたって当接している。
下部補強部材５７は、ビス等の係止部材１５７ｄで下框の端面ビスホールに取り付けるが、この際に、下部振れ止め部材１５７を突部１５７ｃと嵌合凹部５７ｄが嵌るようにして取付孔５７ｃ、１５７ｂを用いて重ねるように取り付ける。
下部振れ止め部材の振れ止め突起１５７ａは図３に示すように下枠のスライド溝部１３に挿入してある。
外障子６０にも召合せ側端部に上部補強部材６８と下部補強部材６７とを有しているが、内障子と同様なので説明を省略する。
下枠１０の部分は、図３に示すように、下枠１０の上面を略フラットの形成し、フラット上面にスライド溝１３、１４を形成し、スライド溝の下部に排水凹部１３ａ、１４ａをそれぞれ形成し、スライド溝には下框から垂下した垂下片を挿入し、内障子５０と外障子６０の召合せ部には召合止水ブロック１５を取り付けている。
召合止水ブロック１５は上部で水密気密部材５９と当接している。
これにより、召合せ部の水密気密性を確保できる。
【００１８】
次の片引きサッシの例を説明する。
図５に縦断面図を示し、図６に横断面図を示す。
可動障子７０は、三方框組部材と、透光性を有する透光性パネル７４とを有し、
三方框組部材は、上框７２と、下框７１と、上框と下框とを戸当り側で連結している戸当り框７３とで形成している。
ガラス等からなる透光性パネル７４は、召合せ部に手掛部材７５と水密気密補助部材７６とを有し且つ召合せ部を除く三方を三方框組部材のパネル嵌合溝に嵌合してある。
手掛部材７５は、パネル召合せ部の嵌殺し部と反対側の見付け面であって、上框７２の召合せ側端部と下框７１召合せ側端部との間に接着剤を充填してある。
水密気密補助部材７６は、パネル召合せ部の嵌殺し部側の見付け面であって、上框７２の召合せ側端部と下框７１の召合せ側端部との間に接着剤を充填してある。
嵌殺し部は、三方組部材と、透光性を有する透光性パネル８４とを有し、
三方組部材は、上枠２０ａと、下枠１０ａと、縦枠４０ａとで形成している。
透光性パネル８４は、召合せ部に水密気密補助部材８６と補強部材８５を有し且つ召合せ部を除く三方を三方組部材のパネル嵌合溝に嵌合してある。
水密気密補助部材８６は、パネルの召合せ部の可動障子側の見付け面であって、上枠２０ａと下枠１０ａとの間に接着してある。
補強部材８５は、パネルの召合せ部の可動障子と反対側の見付け面であって、上枠２０ａと下枠１０ａとの間に接着して設けてある。
可動障子及び嵌殺し部には、水密気密部材７９、８９を相手側の水密気密補助部材に先端部が当接するように接着して設けてある。
可動障子の召合せ側上端に上部補強部材７８、下端には下部補強部材７７を取り付けているが、引き違いサッシの内障子と同様なので説明を省略する。
【図面の簡単な説明】
【００１９】
【図１】本発明に係る引き違いサッシの例を示す。
【図２】内障子の上部補強材と下部補強材の部品図を示す。
【図３】引き違いサッシの縦断面図を示す。
【図４】引き違いサッシの横断面図を示す。
【図５】片引きサッシの縦断面図を示す。
【図６】片引きサッシの横断面図を示す。
【符号の説明】
【００２０】
１０          下枠
２０          上枠
３０、４０    縦枠
５０          内障子
５１          内障子の下框
５２          内障子の上框
５３          内障子の戸当り框
５４          内障子の透光性パネル
５５          手掛部材
５６          水密気密補助部材
５７          下部補強部材
５８          上部補強部材
５９          水密気密部材
６０          外障子
７０          可動障子
８０          嵌殺し部
【図１】
2006266041.tif 000003
【図２】
2006266041.tif 000004
【図３】
2006266041.tif 000005
【図４】
2006266041.tif 000006
【図５】
2006266041.tif 000007
【図６】
2006266041.tif 000008